(57)【要約】      （修正有）【課題】落ち葉、枯れ葉などのゴミの捕集をする際に、使用する場所に応じて前側の駆動体の及ぶ広さを容易に変えることができる熊手を提供する。【解決手段】係止体２を複数設けた柄１に操作体３を遊合するとともに、多数の鉤手体６を設けた右側、左側の前側駆動体５の各前端を、柄１の前端部に枢着し、その前側駆動体５の各後端を右側、左側の後側駆動体４の各前端に枢着し、かつこの後側駆動体４の各後端を操作体３に枢着したものであり、操作体３を係止体２に係止させ、あるいは係止から離脱させることで、鉤手体６による落ち葉、枯れ葉などのゴミを捕集する前側駆動体５の横への展開と、前側、後側の駆動体５，４の広がりを調整することを可能にした。【選択図】図１
0003183116.tif 000002
【実用新案登録請求の範囲】
【請求項１】
係止体を複数設けた柄に操作体を遊合するとともに、多数の鉤手体を設けた右側、左側の前側駆動体の各前端を、柄の前端部に枢着し、その前側駆動体の各後端を右側、左側の後側駆動体の各前端に枢着し、かつこの後側駆動体の各後端を操作体に枢着したものであり、操作体を係止体に係止させ、あるいは係止から離脱させることで、鉤手体による落ち葉、枯れ葉などのゴミを捕集する前側駆動体の横への展開と、前側、後側の両駆動体の広がりとを調整することを可能にした熊手
【請求項２】
操作体は、欠落溝を有する導通管と、欠落部を前記欠落溝と連通させて前記導通管の前端、後端に設けた誘導環、および欠落部を設け前記前後誘導環の間で前記導通管に遊合させた前後の固定環とから構成し、かつこの前後の固定環はともに同じ位置に前記欠落部を作成し、また前後の固定環には両者を結合する橋絡部と、係止体を移動させかつ係止もさせる空隙を設け、かつ橋絡部と欠落部は連通しない位置に設けたものであり、固定環を回動することにより誘導環と固定環の欠落部を連通させ、あるいは不連通にさせることで、係止体を固定環の空隙に係止させ、あるいは係止から離脱させることを可能にしたことを特徴とする請求項１の熊手
【請求項３】
柄の先端部に鉤手体を設けたことを特徴とする請求項１または請求項２の熊手
【考案の詳細な説明】
【技術分野】
【０００１】
本考案は樹木が密集している場所や通路が狭い場所、生垣などの狭い場所に散乱している落ち葉、枯れ葉、紙くずなどのゴミを補集する熊手に係るもので、特に簡単な構成で使用する場所に応じて広げたり、狭めたり（すぼめたり）することを容易に行えることを特徴としたものである。
【背景技術】
【０００２】
これまで前記したようなゴミの補集用としては、特許文献１や特許文献２で示したような熊手が知られている。
この熊手の代表的な構成は、柄の一端に、複数本の長い金属製の掻き棒（扇形部材）をそれぞれの先端側を扇形に広げて取付け、その掻き棒の中間部位に掻き棒のその扇形を広げたり、もしくは狭めたりするための調整部材（スライド部品、移動体）を設けて成るものである。
【０００３】
すなわち調整部材を移動させることで、使用する場所に応じて掻き棒群の扇形を、広めたり狭めたりすることができることを特徴としたものである。
【先行技術文献】
【特許文献】
【０００４】
【特許文献１】実公平７−１８２５５号公報
【特許文献２】特許第３２６８４９７号公報
【考案の概要】
【考案が解決しようとする課題】
【０００５】
しかしこの熊手は、掻き棒群を広げたり、狭めたりするために、調整部材を掻き棒に係合しながら移動させたり、また移動後に掻き棒に固定させなければならない。そのため調整部材を掻き棒に固定、あるいは移動のための掻き棒からの解放を行うために蝶ねじを調整部材に設けている。
【０００６】
そのため、熊手を使用する場所に応じて掻き棒群を広げたり、狭めたりするときに調整部材に設けた蝶ねじを弛緩あるいは緊締する作業を行わなければならず、作業工数が多くなるため、その工数削減のための改善が要望されていた。（特許文献１、特許文献２参照）
またこの熊手の場合、掻き棒は必然的に長いものを使用しなければならず、コストの面でも、また強度についても改良を必要とするものであった。
【課題を解決するための手段】
【０００７】
本考案はこれらの課題を解決するためのものである。
すなわち本考案は、係止体を複数設けた柄に操作体を遊合するとともに、多数の鉤手体を設けた右側、左側の前側駆動体の各前端を、柄の前端部に枢着し、その前側駆動体の各後端を右側、左側の後側駆動体の各前端に枢着し、かつこの後側駆動体の各後端を操作体に枢着したものであり、操作体を係止体に係止させ、あるいは係止から離脱させることで、鉤手体による落ち葉、枯れ葉などのゴミを捕集する前側駆動体の横への展開と、前側、後側の両駆動体の広がりを調整することを可能にした熊手を提供するものである。
【０００８】
この本考案によれば、鉤手体を設けた前側駆動体と後側駆動体とが屈曲可能状態に枢着されており、操作体を前後に移動させて柄に設けた複数個の係止体に係止あるいはその係止を離脱させる操作を行うだけで、鉤手体を設けた前側駆動体を横に広く展開させたり、逆にその展開を狭めたりさせて、広い場所でのゴミの捕集あるいは狭い場所への熊手の差込みとゴミの捕集への対応を簡単に行うことができるものである。
【０００９】
また本考案では、ゴミを捕集する鉤手体は前側の駆動体に設けるものであるため、必然的に長さの短いものとなり、適した素材を選択することにより大きな強度と熊手のコスト低減を容易に達成できるものである。
【００１０】
また本考案では前記した熊手において、操作体は、欠落溝を有する導通管と、欠落部を前記欠落溝と連通させて前記導通管の前端、後端に設けた誘導環、および欠落部を設け前記前後誘導環の間で前記導通管に遊合させた前後の固定環とから構成し、かつこの前後の固定環はともに同じ位置に前記欠落部を作成し、また前後の固定環には両者を結合する橋絡部と、係止体を移動させかつ係止もさせる空隙を設け、かつ橋絡部と欠落部は連通しない位置に設けたものであり、固定環を回動することにより誘導環と固定環の欠落部を連通させ、あるいは不連通にさせることで、係止体を固定環の空隙に係止させ、あるいは係止から離脱させることを可能にしたものである。
【００１１】
さらに本考案では、柄の先端に鉤手体を設けたことを特徴とするもので、本来の前側駆動体に設けた鉤手体による熊手の機能とは別に、柄の先端部位でも熊手の機能を発揮させることを可能にしたものである。
【考案の効果】
【００１２】
本考案は、係止体を設けた柄に操作体を遊動自在にして設け、鉤手体を固着した前側駆動体の前端を柄の前端に枢着するとともに、この前側駆動体の後端を操作体に枢着した後側駆動体の前端に枢着する、という簡単な構成で、操作体を移動させることのみで鉤手体を設けた前側駆動体を広げたり、狭めたりすること、および前側、後側駆動体の広がりを広げたり、狭めたりすることが可能となり、広い場所でのゴミ捕集あるいは狭い場所への熊手の差し込みと、その狭い場所でのゴミの捕集への対応が容易に行える熊手を提供するものである。また前記駆動体の固定、また固定からの離脱も容易に行うことができる熊手を提供するものである。
【００１３】
また熊手の最も基幹となる鉤手体の長さを短く作成できるため、熊手のコストを廉価にすることが可能となり、また鉤手体の強度も大きなものとすることができる。
【００１４】
また前記操作体は、欠落部を有する２個の誘導環と、同じく欠落部を有し相互の間に橋絡部と空隙を設けた固定環を主要構成要素とするもので、固定環を回動することのみで係止体の係止（固定）、あるいは係止（固定）からの離脱を容易に行うことを可能にしたものである。
【００１５】
さらに本考案は熊手先端となる柄の先端に鉤手体を設けたもので、熊手としての機能を効率的に上昇させたものである。
【図面の簡単な説明】
【００１６】
【図１】本考案熊手の実施形態の平面図
【図２】本考案熊手の実施形態の底面図
【図３】本考案熊手の実施形態の各部を示すもので、（Ａ）は柄先端部分の拡大側面図、（Ｂ）は前側駆動体、後側駆動体の連結部を示す拡大側面図、（Ｃ）は操作体とその取付箇所を示す拡大側面図（熊手の左側から見た拡大側面図）
【図４】本考案熊手の実施形態の操作体部分、柄の係止体部分を示すもので、（Ａ）は操作体を係止体に臨ませたときの斜視図（熊手の右側から見た斜視図）、（Ｂ）は操作体の分解斜視図、（Ｃ）は柄に設けた係止体を示す斜視図
【図５】本考案熊手の実施形態において、（Ａ）は操作体を前側係止体に係止したときの平面図、（Ｂ）は操作体を後側係止体に係止したときの平面図
【考案を実施するための形態】
【００１７】
以下本考案熊手の実施形態を図面により説明する。
図１、図２はその実施形態の全体構成を示す平面図、底面図である。
図示のごとく、１は手元に合成樹脂製の把手部１１を設けたステンレスもしくはアルミニウム、鋼材などの金属素材で作成した円柱状もしくは円筒状の柄であり、その上面の数箇所（図面では前側、中側、後側の３箇所）に、図４（Ｃ）で示したような突起状の係止体２を設け、この係止体２に係止する操作体３を柄１に遊合し、柄１上を前後に移動可能にして設ける。（図１、図２では操作体３を中側の係止体２に係止固定したときの図を示している）
【００１８】
柄１の形状については、図示したものに限らず断面が四角形や五角形などの多角形状や扁平形状のものでも良いし、素材も合成樹脂、木製など適宜に選択することが可能である。
また係止体２は金属素材の柄１に固着した筒状の小突起物で表しているが、金属素材のものを溶接（固着）したり、ねじ止めしたものでも良い。また単にねじを螺入して高さを自在に変えられるものにしたり、スプリングを内蔵させてその弾性を利用した出没可能なものを使用しても良い。（これらのことは柄１の素材を木製、合成樹脂製にしても同様である）
【００１９】
操作体３は各構成部材を合成樹脂で作成したもので、図３（Ｃ）、図４（Ａ）、（Ｂ）で示したように（図３（Ｃ）は熊手を左側から見たときの図、図４（Ａ）は熊手を右側から見たときの図である）、前側の誘導環８の後側に、橋絡部９ｃで連結し間隔をおいて設けた前後２個の固定環９を配し、その後に後側の誘導環８を配置した構成になっている。
【００２０】
これらの部材は導通管１０の前後に誘導環８を、またその前後誘導環８の間に橋絡部９ｃで連結した２個（前側と後側）の固定環９を配するものであるが、前側の誘導環８は導通管１０の前端に設け（固着し）、その前側誘導環８の後側に、連結した両固定環９を導通管１０に遊合し、その後に後側誘導環８を導通管１０に設けて（固着して）作成する。したがって導通管１０は、これら前後の誘導環８の厚さ（前後の長さ）と橋絡部９ｃで連結した固定環９の厚さ（前後の長さ）を加えた厚さ（前後の長さ）に等しい長さで作成する。また前後の固定環９は橋絡部９ｃにより連結しているため、固定環９を回動したときは常に両者が同時に同じだけ導通管１０上を回動するようになっている。
【００２１】
誘導環８、固定環９については、固定環９を回す（回動する）作業が容易になるようその外径は固定環９の方を誘導環８よりも大きく作成するとともに、固定環９の外表面（後記する欠落部９ａ以外の外表面）には指による回動が容易にできるよう多数の操作溝部９ｂを作成する。また導通管１０と誘導環８については、図４（Ｂ）で示したように、誘導環８と導通管１０とはそれぞれ別個の部材として作成し、操作体３組み付け時に固定環９を挟むようにして、導通管１０の前後の端に各誘導環８を設ける（固着する）。
【００２２】
また前後の誘導環８と前後の固定環９には、係止体２移動用の同じ幅、大きさの欠落部８ａ、９ａを設け、導通管１０にも前側から後側にかけてこれら欠落部８ａ、９ａと同じ幅の係止体２移動用の欠落溝１０ａを設ける。固定環９の欠落部９ａの作成位置は前後とも同じ位置に作成するが、橋絡部９ｃとは連通しない位置に設ける（図３（Ｃ）、図４（Ａ）（Ｂ）では、欠落部９ａと橋絡部９ｃの作成位置は、連通はしないが隣接した位置に設けている。ただし図３（Ｃ）では操作体３は係止体２に係止した状態の図である）。また前後の固定環９の間隔をおいた間では、橋絡部９ｃ以外の他の部分を係止体２が移動できるように空隙９ｄにしておき、固定環９の回動時にこの空隙９ｄを係止体２が移動するようにしている。
【００２３】
操作体３を組み付けるときには、実施形態では図４（Ｂ）で示した各部材、すなわち導通管１０と前側、後側の誘導環８、および橋絡部９ｃで連結した前側、後側の固定環９とを使用し、導通管１０の前後の端の一方に誘導環８の一方を設け（固着し）、その後固定環９を遊合した後、他方の誘導環８を導通管１０の他方端に設ける（固着する）ものである。（なお、誘導環８の一方を導通管１０の一端に設け（一体成型で作成し）、この一体成型品の導通管１０部分に前後の固定環９を遊合し、その後導通管１０の他端に別個に作成した誘導環８を設けても良い（固着しても良い）。
【００２４】
導通管１０の欠落溝１０ａと、前後の各誘導環８の欠落部８ａとは、それぞれが連通するように設け（固着または一体成型するようにして作成し）、係止体２が導通管１０と誘導環８とを同時に移動できるようにしている。そのため操作体３を柄１に取り付けるときには、これら誘導環８の欠落部８ａ、導通管１０の欠落溝１０ａが、柄１の係止体２に対向する位置（柄１の上側）になるようにして、操作体３は柄１に取り付けられる。
【００２５】
また操作体３を係止体２に係止するときには、固定環９を回動してその固定環９の欠落部９ａを誘導環８の欠落部８ａに符合する位置にし、その後固定環９をさらに回動して係止体２を空隙９ｄに差し入れ、この空隙９ｄ内に係止体２を移動して係止（固定）する。
【００２６】
また操作体３に係止する係止体２を、別の係止体２に替えるときには、固定環９を回動して係止体２を空隙９ｄ内で移動し、欠落部９ａを係止体２に臨ませることで、係止体２を誘導環８の欠落部８ａを通して操作体３から抜け出させ、操作体３を係止体２の係止状態から解放し、別の係止体２に向かわせる（移動させる）ことができる。
【００２７】
なお、図３（Ｃ）（この図は熊手を左側から見たときの図で、係止体２を固定環９の空隙９ｄ内に収納し係止したときの図）、図４（Ａ）（この図は、熊手を右側から見た図で、係止体２を固定環９の欠落部９ａに臨ませたときの図）で示した操作体３においては、固定環９の橋絡部９ｃは欠落部９ａと連通しない位置に設けられており、係止体２を係止するときには熊手の把手部１１側からみて固定環９を時計の針の進行方向に回し、係止体２を欠落部９ａの位置から橋絡部９ｃとは反対の方向に空隙９ｄ内を移動させる。図３（Ｃ）は固定環９を時計の針の進行方向に回動することで係止体２を固定環９の空隙９ｄ内で移動させ橋絡部９ｃに接する位置で固定環９の回動を停止したときの状態を示す図である。
【００２８】
また逆に係止体２を操作体３から離脱（係止から離脱）するときには、固定環９を時計の針の反進行方向に回して、係止体２を橋絡部９ｃ側に向けて空隙９ｄ内を移動させ、欠落部９ａに臨ませるものである。図４（Ａ）は固定環９を時計の針の反進行方向に回動して係止体２を空隙９ｄ内で橋絡部９ｃの係止時とは反対側まで移動させ、欠落部９ａに臨ませたときの状態を示す図である。
【００２９】
また操作体３の前側誘導体８の下面底部には、図３（Ｃ）、図４（Ａ）で示すように、前側の誘導環８の下部底面と左右の後側駆動体４の後端部とをワッシャを介して固定ピン７で回動自在に枢着する。すなわち柄１の係止体２とは反対側（柄１の下側）にこの枢着箇所は位置する。この後側駆動体４の枢着により操作体３は、左右方向の回動を防止でき安定した操作が可能となる。またこの枢着箇所には前側誘導環８の下部底面に金属材などを付加してその補強を図ることも可能である。
【００３０】
また、左右の後側駆動体４の前端部は図３（Ｂ）で示したように、前側駆動体５の後端部と固定ピン７により重ねた状態でワッシャを介して回動自在にして枢着されており、この左右の前側駆動体５の各前端部は図３（Ａ）で示したように、ワッシャを介して固定ピン７により重ねた状態で回動自在にして枢着されている。この後側、前側の駆動体４、５の各枢着はねじなどを使用した枢着でも良い。
【００３１】
前側駆動体５の下側底面には多数の鉤手体６を、また柄１の先端部には複数の鉤手体６を固着する。この鉤手体６は強度の高い金属素材で作成しており、形状は図３（Ａ）で示したように先端部分を下側に曲げ、落ち葉、ゴミなどを捕集しやすい形状にしている。また鉤手体６の前側駆動体５への固着は溶接による固着であるが、柄１の前端部への固着は柄１の素材により溶接でなくねじ１２による固着を選択しても良い。
【００３２】
鉤手体６は柄１を後側に引くことで落ち葉、枯れ葉、ゴミなどを補集する機能を果たすものであるが、前側の駆動体５および柄１の前端部に設けるものであるため、短いもので足り、その強度も大きく、製作コストも低廉に済ますことが出来るものである。この熊手を使用してゴミを捕集するときには、柄１を持って前側の駆動体５を前方に押し出し、鉤手体６でゴミを捕捉した後手前側に引くことで、熊手の機能を果たすものである。
【００３３】
また左右の後側駆動体４と左右の前側駆動体５とは、操作体３を移動することで鉤手体６を設けた前側駆動体５を前方に押し出したり、後方に引き込むことが出来る。これは、操作体３を移動することでこの操作体３に枢着した後側駆動体４が前後に移動し、その押出力もしくは引込力がこの後側駆動体４と前側駆動体５との連結枢着箇所に対する力となる（前側駆動体５はその前端部が柄１の前端部に枢着しているため、前側駆動体５への力は後側駆動体４との連結枢着箇所に対する力となって表れるためである）。
【００３４】
そのため操作体３を移動させることで、前側駆動体５を前方に押し出したり、後方に引き込むことになる（この引き込みのときは、前側、後側の両駆動体５，４は柄１側に寄ってその広がりを狭める）。すなわち、操作体３を移動することにより、多数の鉤手体６を固着した前側駆動体５の前方のゴミ捕集への対応面積を変えることできるとともに、前側、後側の両駆動体５，４の広がりを広めたり狭めることができるものである。
【００３５】
これを詳述すると、操作体３を前方に移動すると、操作体３の誘導環８の下側底部にその後端部を枢着した後側駆動体４が前側に移動し、それにつれて、この後側駆動体４の前端部が、その前端部を柄１の前端部に枢着した前側駆動体５の後端部と枢着していることから、この連結枢着箇所から及ぶ力によって、前側駆動体５が前面側に広がり、広い場所でのゴミの捕集ができるようになる。（図５（Ａ）は操作体３を前側に移動し、前側の係止体２に係止した状態を示しており、前側の駆動体５は前面に押し広げた状態になっている）
【００３６】
また反対に操作体３を後方に移動すると、後側の駆動体４と前側の駆動体５との連結枢着箇所を起点として両駆動体４，５が後方に引かれ（広がりは小さくなり）、狭い場所のゴミ捕集または狭い場所を通して熊手を差し込む場合に適したものとなる。（図５（Ｂ）は本考案実施形態においては、後側の係止体２に操作体３を係止した状態を示している）
【００３７】
そのため上記の実施形態を使用するときには、熊手を使用する場所に応じて前側、後側の駆動体５，４の開き具合を考え、複数個の係止体２のうちから適応した係止体２を決定し、その係止体２に操作体３を係止させる。そのとき操作体３をその係止体２の位置まで移動し、そこで固定環９を、その欠落部９ａが係止体２に符合するように回動して、係止体２を空隙９ｄに収納させ、操作体３を係止体２に係止させるものである。
【００３８】
以上のことから本考案は、係止体２を複数設けた柄１に操作体３を遊合するとともに、多数の鉤手体６を設けた右側、左側の前側駆動体５の各前端を、柄１の前端部に枢着し、その前側駆動体５の各後端を右側、左側の後側駆動体４の各前端に枢着し、かつこの後側駆動体４の各後端を操作体３に枢着したものであり、操作体３を係止体２に係止させ、あるいは係止から離脱させることで、鉤手体６による落ち葉、枯れ葉などのゴミを捕集する前側駆動体５の横への展開と、前側、後側の両駆動体５，４の広がりを調整することを可能にした熊手である。
【００３９】
したがって本考案によれば、鉤手体６を設けた前側駆動体５と後側駆動体４とが屈曲可能状態に枢着されており、操作体３を前後に移動させて柄１に設けた複数個の係止体２に係止あるいはその係止を離脱させる操作を行うだけで、鉤手体６を設けた前側駆動体５を横に広く展開させたり、逆に両駆動体４，５の広がりを狭めたりさせて、広い場所でのゴミの捕集あるいは狭い場所への熊手の差し込みとゴミの捕集についての対応を簡単に行うことができるものである。
【００４０】
そのため本考案においては、係止体２の数を増やすことで鉤手体６を前面に有する前側駆動体５の広がりを多様に調整可能にするとともに、操作体３を柄１の前後に移動して係止体２に固定するという作業のみで、熊手の作業を行う場所に適応した鉤手体６の広がりを容易に選択できるものである。
【００４１】
また本考案では、ゴミを捕集する鉤手体６は前側の駆動体５に設けるものであるため、必然的に長さの短いものとなり、適した素材を選択することにより大きな強度と熊手のコスト低減を容易に達成できるものである。
【００４２】
また本考案は前記した熊手において、操作体３は、欠落溝１０ａを有する導通管１０と、欠落部８ａを前記欠落溝１０ａと連通させて前記導通管１０の前端、後端に設けた誘導環８、および欠落部９ａを設け前記前後誘導環８の間で前記導通管１０に遊合させた前後の固定環９とから構成し、かつこの前後の固定環９はともに同じ位置に前記欠落部９ａを作成し、また前後の固定環９には両者を結合する橋絡部９ｃと、係止体２を移動させかつ係止もさせる空隙９ｄを設け、かつ橋絡部９ｃと欠落部９ａは連通しない位置に設けたものであり、固定環９を回動することにより誘導環８と固定環９の欠落部８ａ、９ａを連通させ、あるいは不連通にさせることで、係止体２を固定環９の空隙９ｄに係止させ、あるいは係止から離脱させることを可能にした熊手を提供する。
【００４３】
以上のことから本考案では、操作体３の固定環９を回動させるという簡単な操作で熊手の前側駆動体５を前面に広げてゴミの捕集面積を増やしたり、逆に前側駆動体５を後側に引いて狭い箇所でのゴミの捕集を可能にしたものである。
【００４４】
さらに本考案は熊手の先端となる柄１の先端に鉤手体６を設けたもので、熊手としての機能を効率的に上昇させたものである。
【符号の説明】
【００４５】
１    柄
２    係止体
３    操作体
４    後側の駆動体
５    前側の駆動体
６    鉤手体
７    固定ピン
８    誘導環
８ａ  欠落部
９    固定環
９ａ  欠落部
９ｂ  操作溝部
９ｃ  橋絡部
９ｄ  空隙
１０    導通管
１０ａ  欠落溝  
１１    把手部
１２    ねじ
【図１】
0003183116.tif 000003
【図２】
0003183116.tif 000004
【図３】
0003183116.tif 000005
【図４】
0003183116.tif 000006
【図５】
0003183116.tif 000007